【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
複数の地図領域についての地図情報をそれぞれ複数の記憶領域のいずれかに記憶すると共に、各記憶領域に記憶されている地図情報に関する地図領域の管理情報を記憶する地図情報記憶手段と、
前記複数の地図領域から現在使用している前記地図情報が含まれる地図領域を検出する地図領域検出手段と、
前記地図領域検出手段によって検出された地図領域と異なる地図領域の地図情報が記憶されている第１の記憶領域を前記管理情報に基づいて選択する記憶領域選択手段と、
更新地図情報が記録された記録媒体から前記地図領域の更新地図情報を取得する更新地図情報取得手段と、
前記第１の記憶領域を初期化後、前記更新地図情報取得手段を介して前記地図領域検出手段によって検出された地図領域の更新地図情報を取得して前記第１の記憶領域に記憶した後、前記管理情報を更新後、更に、該第１の記憶領域に記憶した更新地図情報の地図領域と同じ地図領域の地図情報が記憶されている第２の記憶領域を初期化後、前記更新地図情報取得手段を介して、前記第１の記憶領域に記憶した更新地図情報を含まない地図領域の更新地図情報を取得して前記第２の記憶領域に記憶した後、前記管理情報を更新するように制御する更新制御手段と、
を備えたことを特徴とするナビゲーション装置。
【請求項２】
前記地図情報は、ほぼ同じ情報量の２つの地図領域に分割されていることを特徴とする請求項１に記載のナビゲーション装置。
【請求項３】
自車位置を検出する自車位置検出手段を備え、
前記地図領域検出手段は、前記複数の地図領域のうち、前記自車位置が含まれる地図領域を、現在使用している前記地図情報が含まれる地図領域として検出することを特徴とする請求項１又は請求項２に記載のナビゲーション装置。
【請求項４】
前記更新制御手段は、前記第１の記憶領域を初期化後、前記更新地図情報取得手段を介して前記地図領域検出手段によって検出された地図領域の更新地図情報を取得して前記第１の記憶領域に記憶した後、前記管理情報を更新後、現在使用している前記地図情報の使用を中止し、前記第１の記憶領域に記憶した更新地図情報の使用を開始するように制御することを特徴とする請求項３に記載のナビゲーション装置。
【請求項５】
複数の地図領域から現在使用している地図情報が含まれる地図領域を検出する地図領域検出工程と、
地図領域毎の地図情報をそれぞれ記憶するための複数の記憶領域から、前記地図領域検出工程で検出された地図領域と異なる地図領域の地図情報が記憶されている第１の記憶領域を、各記憶領域に記憶されている地図情報に関する地図領域の管理情報に基づいて選択する記憶領域選択工程と、
前記記憶領域選択工程で選択された前記第１の記憶領域を初期化後、更新地図情報が記録された記録媒体から前記地図領域検出工程で検出された地図領域の更新地図情報を取得して前記第１の記憶領域に記憶した後、前記管理情報を更新後、更に、該第１の記憶領域に記憶した更新地図情報の地図領域と同じ地図領域の地図情報が記憶されている第２の記憶領域を初期化後、前記記録媒体から前記第１の記憶領域に記憶した更新地図情報を含まない地図領域の更新地図情報を取得して前記第２の記憶領域に記憶した後、前記管理情報を更新するように制御する更新制御工程と、
を備えたことを特徴とする地図情報更新方法。
【請求項６】
前記地図情報は、ほぼ同じ情報量の２つの地図領域に分割されていることを特徴とする請求項５に記載の地図情報更新方法。
【請求項７】
自車位置を検出する自車位置検出工程を備え、
前記地図領域検出工程では、前記複数の地図領域のうち、前記自車位置検出工程で検出した自車位置が含まれる地図領域を、現在使用している前記地図情報が含まれる地図領域として検出することを特徴とする請求項５又は請求項６に記載の地図情報更新方法。
【請求項８】
前記更新制御工程では、前記記憶領域選択工程で選択された前記第１の記憶領域を初期化後、更新地図情報が記録された記録媒体から前記地図領域検出工程で検出された地図領域の更新地図情報を取得して前記第１の記憶領域に記憶した後、前記管理情報を更新後、現在使用している前記地図情報の使用を中止し、前記第１の記憶領域に記憶した更新地図情報の使用を開始するように制御することを特徴とする請求項７に記載の地図情報更新方法。
【請求項９】
複数の地図領域のそれぞれについての地図情報を該複数の地図情報の個数よりも多い複数の記憶領域のいずれかに記憶すると共に、各記憶領域に記憶されている地図情報に関する管理情報を記憶する地図情報記憶手段と、
前記管理情報に基づいて前記地図情報が記憶されていない１個の空き記憶領域を選択する空き記憶領域選択手段と、
前記空き記憶領域選択手段によって選択された空き記憶領域を初期化する初期化手段と、
前記複数の地図領域のそれぞれについての地図情報に予め付された優先順位を記憶する優先順位記憶手段と、
前記複数の地図領域から現在使用している前記地図情報が含まれる地図領域を検出する地図領域検出手段と、
前記地図領域検出手段によって検出された地図領域の地図情報の優先順位を１番目に再設定すると共に、残りの地図情報の優先順位を前記優先順位記憶手段に記憶されている優先順位に基づいて再設定する優先順位再設定手段と、
更新地図情報が記録された記録媒体から前記優先順位再設定手段によって再設定された優先順位が１番目の地図情報に対応する更新地図情報を取得して、前記初期化手段によって初期化された前記空き記憶領域に記憶後、前記管理情報を更新するように制御する空き記憶領域更新制御手段と、
更新された該管理情報に基づいて前記優先順位再設定手段によって再設定された優先順位が１番目の地図情報が記憶されている記憶領域から該優先順位に従って順番に各記憶領域を初期化して、この初期化された記憶領域に記憶されていた地図情報の次の優先順位の地図情報に対応する更新地図情報を前記記録媒体から取得して、この初期化した記憶領域に記憶する毎に該管理情報を更新後、前記優先順位再設定手段によって再設定された優先順位が最後の地図情報が記憶されている記憶領域を初期化後、該管理情報を更新するように制御する地図情報更新制御手段と、
を備えたことを特徴とするナビゲーション装置。
【請求項１０】
前記複数の地図領域は、前記複数の地図情報がほぼ同じ情報量になるように分割されていることを特徴とする請求項９に記載のナビゲーション装置。
【請求項１１】
前記複数の地図情報は、複数のデータ種別のそれぞれについての地図情報であって、
前記複数のデータ種別は、リンクとノードに関する道路情報と、経路案内に関する音声・画像情報と、目的地までの経路探索又は地点を検索するための検索情報とを含むことを特徴とする請求項９に記載のナビゲーション装置。
【請求項１２】
複数の地図領域のそれぞれについての地図情報の個数よりも多い複数の記憶領域のそれぞれに記憶されている地図情報に関する管理情報に基づいて前記地図情報が記憶されていない１個の空き記憶領域を選択する空き記憶領域選択工程と、
前記空き記憶領域選択工程で選択された空き記憶領域を初期化する初期化工程と、
前記複数の地図領域から現在使用している前記地図情報が含まれる地図領域を検出する地図領域検出工程と、
前記地図領域検出工程で検出された地図領域の地図情報の優先順位を１番目に再設定すると共に、残りの地図情報の優先順位を前記複数の地図領域のそれぞれについての地図情報に予め付された優先順位に基づいて再設定する優先順位再設定工程と、
更新地図情報が記録された記録媒体から前記優先順位再設定工程で再設定された優先順位に基づいて該優先順位が１番目の地図情報に対応する更新地図情報を取得して、前記初期化工程で初期化された前記空き記憶領域に記憶後、前記管理情報を更新するように制御する空き記憶領域更新制御工程と、
前記空き記憶領域更新制御工程で更新された該管理情報に基づいて前記優先順位再設定工程で再設定された優先順位が１番目の地図情報が記憶されている記憶領域から該優先順位に従って順番に各記憶領域を初期化して、この初期化された記憶領域に記憶されていた地図情報の次の優先順位の地図情報に対応する更新地図情報を前記記録媒体から取得して、この初期化した記憶領域に記憶する毎に該管理情報を更新後、前記優先順位再設定工程で再設定された優先順位が最後の地図情報が記憶されている記憶領域を初期化後、該管理情報を更新するように制御する地図情報更新制御工程と、
を備えたことを特徴とする地図情報更新方法。
【請求項１３】
前記複数の地図領域は、前記複数の地図情報がほぼ同じ情報量になるように分割されていることを特徴とする請求項１２に記載の地図情報更新方法。
【請求項１４】
前記複数の地図情報は、複数のデータ種別のそれぞれについての地図情報であって、
前記複数のデータ種別は、リンクとノードに関する道路情報と、経路案内に関する音声・画像情報と、目的地までの経路探索又は地点を検索するための検索情報とを含むことを特徴とする請求項１２に記載の地図情報更新方法。
【手続補正２】
【補正対象書類名】明細書
【補正対象項目名】０００６
【補正方法】変更
【補正の内容】
【０００６】
前記目的を達成するため請求項１に係るナビゲーション装置は、複数の地図領域についての地図情報をそれぞれ複数の記憶領域のいずれかに記憶すると共に、各記憶領域に記憶されている地図情報に関する地図領域の管理情報を記憶する地図情報記憶手段と、前記複数の地図領域から現在使用している前記地図情報が含まれる地図領域を検出する地図領域検出手段と、前記地図領域検出手段によって検出された地図領域と異なる地図領域の地図情報が記憶されている第１の記憶領域を前記管理情報に基づいて選択する記憶領域選択手段と、更新地図情報が記録された記録媒体から前記地図領域の更新地図情報を取得する更新地図情報取得手段と、前記第１の記憶領域を初期化後、前記更新地図情報取得手段を介して前記地図領域検出手段によって検出された地図領域の更新地図情報を取得して前記第１の記憶領域に記憶した後、前記管理情報を更新後、更に、該第１の記憶領域に記憶した更新地図情報の地図領域と同じ地図領域の地図情報が記憶されている第２の記憶領域を初期化後、前記更新地図情報取得手段を介して、前記第１の記憶領域に記憶した更新地図情報を含まない地図領域の更新地図情報を取得して前記第２の記憶領域に記憶した後、前記管理情報を更新するように制御する更新制御手段と、を備えたことを特徴とする。
【手続補正３】
【補正対象書類名】明細書
【補正対象項目名】０００７
【補正方法】変更
【補正の内容】
【０００７】
また、請求項２に係るナビゲーション装置は、請求項１に記載のナビゲーション装置において、前記地図情報は、ほぼ同じ情報量の２つの地図領域に分割されていることを特徴とする。
また、請求項３に係るナビゲーション装置は、請求項１又は請求項２に記載のナビゲーション装置において、自車位置を検出する自車位置検出手段を備え、前記地図領域検出手段は、前記複数の地図領域のうち、前記自車位置が含まれる地図領域を、現在使用している前記地図情報が含まれる地図領域として検出することを特徴とする。
また、請求項４に係るナビゲーション装置は、請求項３に記載のナビゲーション装置において、前記更新制御手段は、前記第１の記憶領域を初期化後、前記更新地図情報取得手段を介して前記地図領域検出手段によって検出された地図領域の更新地図情報を取得して前記第１の記憶領域に記憶した後、前記管理情報を更新後、現在使用している前記地図情報の使用を中止し、前記第１の記憶領域に記憶した更新地図情報の使用を開始するように制御することを特徴とする。
【手続補正４】
【補正対象書類名】明細書
【補正対象項目名】０００８
【補正方法】変更
【補正の内容】
【０００８】
また、請求項５に係る地図情報更新方法は、複数の地図領域から現在使用している地図情報が含まれる地図領域を検出する地図領域検出工程と、地図領域毎の地図情報をそれぞれ記憶するための複数の記憶領域から、前記地図領域検出工程で検出された地図領域と異なる地図領域の地図情報が記憶されている第１の記憶領域を、各記憶領域に記憶されている地図情報に関する地図領域の管理情報に基づいて選択する記憶領域選択工程と、前記記憶領域選択工程で選択された前記第１の記憶領域を初期化後、更新地図情報が記録された記録媒体から前記地図領域検出工程で検出された地図領域の更新地図情報を取得して前記第１の記憶領域に記憶した後、前記管理情報を更新後、更に、該第１の記憶領域に記憶した更新地図情報の地図領域と同じ地図領域の地図情報が記憶されている第２の記憶領域を初期化後、前記記録媒体から前記第１の記憶領域に記憶した更新地図情報を含まない地図領域の更新地図情報を取得して前記第２の記憶領域に記憶した後、前記管理情報を更新するように制御する更新制御工程と、を備えたことを特徴とする。
【手続補正５】
【補正対象書類名】明細書
【補正対象項目名】０００９
【補正方法】変更
【補正の内容】
【０００９】
また、請求項６に係る地図情報更新方法は、請求項５に記載の地図情報更新方法において、前記地図情報は、ほぼ同じ情報量の２つの地図領域に分割されていることを特徴とする。
また、請求項７に係る地図情報更新方法は、請求項５又は請求項６に記載の地図情報更新方法において、自車位置を検出する自車位置検出工程を備え、前記地図領域検出工程では、前記複数の地図領域のうち、前記自車位置検出工程で検出した自車位置が含まれる地図領域を、現在使用している前記地図情報が含まれる地図領域として検出することを特徴とする。
更に、請求項８に係る地図情報更新方法は、請求項７に記載の地図情報更新方法において、前記更新制御工程では、前記記憶領域選択工程で選択された前記第１の記憶領域を初期化後、更新地図情報が記録された記録媒体から前記地図領域検出工程で検出された地図領域の更新地図情報を取得して前記第１の記憶領域に記憶した後、前記管理情報を更新後、現在使用している前記地図情報の使用を中止し、前記第１の記憶領域に記憶した更新地図情報の使用を開始するように制御することを特徴とする。
【手続補正６】
【補正対象書類名】明細書
【補正対象項目名】００１０
【補正方法】変更
【補正の内容】
【００１０】
また、請求項９に係るナビゲーション装置は、複数の地図領域のそれぞれについての地図情報を該複数の地図情報の個数よりも多い複数の記憶領域のいずれかに記憶すると共に、各記憶領域に記憶されている地図情報に関する管理情報を記憶する地図情報記憶手段と、前記管理情報に基づいて前記地図情報が記憶されていない１個の空き記憶領域を選択する空き記憶領域選択手段と、前記空き記憶領域選択手段によって選択された空き記憶領域を初期化する初期化手段と、前記複数の地図領域のそれぞれについての地図情報に予め付された優先順位を記憶する優先順位記憶手段と、前記複数の地図領域から現在使用している前記地図情報が含まれる地図領域を検出する地図領域検出手段と、前記地図領域検出手段によって検出された地図領域の地図情報の優先順位を１番目に再設定すると共に、残りの地図情報の優先順位を前記優先順位記憶手段に記憶されている優先順位に基づいて再設定する優先順位再設定手段と、更新地図情報が記録された記録媒体から前記優先順位再設定手段によって再設定された優先順位が１番目の地図情報に対応する更新地図情報を取得して、前記初期化手段によって初期化された前記空き記憶領域に記憶後、前記管理情報を更新するように制御する空き記憶領域更新制御手段と、更新された該管理情報に基づいて前記優先順位再設定手段によって再設定された優先順位が１番目の地図情報が記憶されている記憶領域から該優先順位に従って順番に各記憶領域を初期化して、この初期化された記憶領域に記憶されていた地図情報の次の優先順位の地図情報に対応する更新地図情報を前記記録媒体から取得して、この初期化した記憶領域に記憶する毎に該管理情報を更新後、前記優先順位再設定手段によって再設定された優先順位が最後の地図情報が記憶されている記憶領域を初期化後、該管理情報を更新するように制御する地図情報更新制御手段と、を備えたことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、請求項１０に係るナビゲーション装置は、請求項９に記載のナビゲーション装置において、前記複数の地図領域は、前記複数の地図情報がほぼ同じ情報量になるように分割されていることを特徴とする。
【手続補正９】
【補正対象書類名】明細書
【補正対象項目名】００１３
【補正方法】変更
【補正の内容】
【００１３】
また、請求項１１に係るナビゲーション装置は、請求項９に記載のナビゲーション装置において、前記複数の地図情報は、複数のデータ種別のそれぞれについての地図情報であって、前記複数のデータ種別は、リンクとノードに関する道路情報と、経路案内に関する音声・画像情報と、目的地までの経路探索又は地点を検索するための検索情報とを含むことを特徴とする。
【手続補正１０】
【補正対象書類名】明細書
【補正対象項目名】００１４
【補正方法】変更
【補正の内容】
【００１４】
また、請求項１２に係る地図情報更新方法は、複数の地図領域のそれぞれについての地図情報の個数よりも多い複数の記憶領域のそれぞれに記憶されている地図情報に関する管理情報に基づいて前記地図情報が記憶されていない１個の空き記憶領域を選択する空き記憶領域選択工程と、前記空き記憶領域選択工程で選択された空き記憶領域を初期化する初期化工程と、前記複数の地図領域から現在使用している前記地図情報が含まれる地図領域を検出する地図領域検出工程と、前記地図領域検出工程で検出された地図領域の地図情報の優先順位を１番目に再設定すると共に、残りの地図情報の優先順位を前記複数の地図領域のそれぞれについての地図情報に予め付された優先順位に基づいて再設定する優先順位再設定工程と、更新地図情報が記録された記録媒体から前記優先順位再設定工程で再設定された優先順位に基づいて該優先順位が１番目の地図情報に対応する更新地図情報を取得して、前記初期化工程で初期化された前記空き記憶領域に記憶後、前記管理情報を更新するように制御する空き記憶領域更新制御工程と、前記空き記憶領域更新制御工程で更新された該管理情報に基づいて前記優先順位再設定工程で再設定された優先順位が１番目の地図情報が記憶されている記憶領域から該優先順位に従って順番に各記憶領域を初期化して、この初期化された記憶領域に記憶されていた地図情報の次の優先順位の地図情報に対応する更新地図情報を前記記録媒体から取得して、この初期化した記憶領域に記憶する毎に該管理情報を更新後、前記優先順位再設定工程で再設定された優先順位が最後の地図情報が記憶されている記憶領域を初期化後、該管理情報を更新するように制御する地図情報更新制御工程と、を備えたことを特徴とする。
また、請求項１３に係る地図情報更新方法は、請求項１２に記載の地図情報更新方法において、前記複数の地図領域は、前記複数の地図情報がほぼ同じ情報量になるように分割されていることを特徴とする。
更に、請求項１４に係る地図情報更新方法は、請求項１２に記載の地図情報更新方法において、前記複数の地図情報は、複数のデータ種別のそれぞれについての地図情報であって、前記複数のデータ種別は、リンクとノードに関する道路情報と、経路案内に関する音声・画像情報と、目的地までの経路探索又は地点を検索するための検索情報とを含むことを特徴とする。
【手続補正１１】
【補正対象書類名】明細書
【補正対象項目名】００１５
【補正方法】変更
【補正の内容】
【００１５】
前記構成を有する請求項１に係るナビゲーション装置では、現在使用している地図情報が含まれる地図領域と異なる地図領域の地図情報が記憶されている第１の記憶領域を初期化後、現在使用している地図情報が含まれる地図領域の更新地図情報を、この初期化された第１の記憶領域に記憶するため、更新地図情報を記憶する際に、地図情報のファイルの断片化等を避けることが可能となる。また、現在使用している地図情報が含まれる地図領域の更新地図情報を初期化された第１の記憶領域に記憶した後、管理情報を更新するため、ナビゲーション装置の動作中に、更新地図情報を記憶することが可能となると共に、この第１の記憶領域に記憶した更新地図情報を使用するように自動的に切り換えることが可能となる。
【手続補正１２】
【補正対象書類名】明細書
【補正対象項目名】００１６
【補正方法】変更
【補正の内容】
【００１６】
また、ナビゲーション装置の動作中に更新地図情報に切り換えた後、第１の記憶領域に記憶した更新地図情報の地図領域と同じ地図領域の地図情報が記憶されていた第２の記憶領域を初期化して、第１の記憶領域に記憶した更新地図情報を含まない地図領域の更新地図情報を、この初期化した第２の記憶領域に記憶するため、更新地図情報を記憶する際に、地図情報のファイルの断片化等を確実に避けることが可能となる。更に、第１の記憶領域に記憶した更新地図情報を含まない地図領域の更新地図情報を初期化された第２の記憶領域に記憶した後、管理情報を更新するため、ナビゲーション装置の動作中に、第１の記憶領域に記憶した更新地図情報を含まない地図領域の更新地図情報を記憶することが可能となると共に、この第２の記憶領域に記憶した更新地図情報を利用することが可能となる。
【手続補正１３】
【補正対象書類名】明細書
【補正対象項目名】００１７
【補正方法】変更
【補正の内容】
【００１７】
また、請求項２に係るナビゲーション装置では、地図情報は、ほぼ同じ情報量の２つの地図領域に分割されているため、ほぼ同じ記憶容量に設定された２つの記憶領域を設けることによって、記録媒体に記録された更新地図情報を各記憶領域に確実に全て記憶することが可能となる。
また、請求項３に係るナビゲーション装置では、複数の地図領域のうち、自車位置が含まれる地図領域を、現在使用している地図情報が含まれる地図領域として検出するため、現在使用している地図情報が含まれる地図領域を確実に検出することができる。
また、請求項４に係るナビゲーション装置では、現在使用している地図情報が含まれる地図領域の更新地図情報を初期化された第１の記憶領域に記憶した後、管理情報を更新後、ナビゲーション装置の動作中に、この第１の記憶領域に記憶した更新地図情報の使用を自動的に開始することができる。
【手続補正１４】
【補正対象書類名】明細書
【補正対象項目名】００１８
【補正方法】変更
【補正の内容】
【００１８】
また、請求項５に係る地図情報更新方法では、現在使用している地図情報が含まれる地図領域と異なる地図領域の地図情報が記憶されている第１の記憶領域を初期化後、現在使用している地図情報が含まれる地図領域の更新地図情報を、この初期化された第１の記憶領域に記憶するため、更新地図情報を記憶する際に、地図情報のファイルの断片化等を避けることが可能となる。また、現在使用している地図情報が含まれる地図領域の更新地図情報を初期化された第１の記憶領域に記憶した後、管理情報を更新するため、ナビゲーション装置の動作中に、更新地図情報を記憶することが可能となると共に、この第１の記憶領域に記憶した更新地図情報を使用するように自動的に切り換えることが可能となる。
【手続補正１５】
【補正対象書類名】明細書
【補正対象項目名】００１９
【補正方法】変更
【補正の内容】
【００１９】
また、ナビゲーション装置の動作中に更新地図情報に切り換えた後、第１の記憶領域に記憶した更新地図情報の地図領域と同じ地図領域の地図情報が記憶されていた第２の記憶領域を初期化して、第１の記憶領域に記憶した更新地図情報を含まない地図領域の更新地図情報を、この初期化した第２の記憶領域に記憶するため、更新地図情報を記憶する際に、地図情報のファイルの断片化等を確実に避けることが可能となる。更に、第１の記憶領域に記憶した更新地図情報を含まない地図領域の更新地図情報を初期化された第２の記憶領域に記憶した後、管理情報を更新するため、ナビゲーション装置の動作中に、第１の記憶領域に記憶した更新地図情報を含まない地図領域の更新地図情報を記憶することが可能となると共に、この第２の記憶領域に記憶した更新地図情報を利用することが可能となる。
【手続補正１６】
【補正対象書類名】明細書
【補正対象項目名】００２０
【補正方法】変更
【補正の内容】
【００２０】
また、請求項６に係る地図情報更新方法では、地図情報は、ほぼ同じ情報量の２つの地図領域に分割されているため、ほぼ同じ記憶容量に設定された２つの記憶領域を設けることによって、記録媒体に記録された更新地図情報を各記憶領域に確実に全て記憶することが可能となる。
また、請求項７に係る地図情報更新方法では、複数の地図領域のうち、自車位置が含まれる地図領域を、現在使用している地図情報が含まれる地図領域として検出するため、現在使用している地図情報が含まれる地図領域を確実に検出することができる。
また、請求項８に係る地図情報更新方法では、現在使用している地図情報が含まれる地図領域の更新地図情報を初期化された第１の記憶領域に記憶した後、管理情報を更新後、ナビゲーション装置の動作中に、この第１の記憶領域に記憶した更新地図情報の使用を自動的に開始することができる。
【手続補正１７】
【補正対象書類名】明細書
【補正対象項目名】００２１
【補正方法】変更
【補正の内容】
【００２１】
また、請求項９に係るナビゲーション装置では、地図情報が記憶されていない１個の空き記憶領域を選択して初期化後、再設定された優先順位が１番目の現在使用している地図情報に対応する更新地図情報を、この初期化された空き記憶領域に記憶するため、更新地図情報を記憶する際に、地図情報のファイルの断片化等を避けることが可能となる。また、現在使用している地図情報が含まれる地図領域の更新地図情報を初期化された空き記憶領域に記憶した後、管理情報を更新するため、ナビゲーション装置の動作中に、現在使用している地図情報が含まれる地図領域の更新地図情報を１番目に記憶することが可能となると共に、この更新地図情報を使用できるように自動的に切り換えることが可能となる。
【手続補正１８】
【補正対象書類名】明細書
【補正対象項目名】００２２
【補正方法】変更
【補正の内容】
【００２２】
また、ナビゲーション装置の動作中に、再設定された優先順位が１番目の現在使用している地図情報に対応する更新地図情報に切り換えた後、更新された管理情報に基づいて再設定された優先順位が１番目の地図情報が記憶されている記憶領域から優先順位に従って順番に各記憶領域を初期化して、この初期化された記憶領域に記憶されていた地図情報の次の優先順位の地図情報に対応する更新地図情報を、この初期化した記憶領域に記憶するため、各更新地図情報を記憶する際に、地図情報のファイルの断片化等を避けることが可能となる。
【手続補正１９】
【補正対象書類名】明細書
【補正対象項目名】００２３
【補正方法】変更
【補正の内容】
【００２３】
また、初期化された記憶領域に記憶されていた地図情報の次の優先順位の地図情報に対応する更新地図情報を、この初期化した記憶領域に記憶する毎に該管理情報を更新するため、ナビゲーション装置の動作中に、更新地図情報を再設定された優先順位に従って順番に記憶することが可能となると共に、更新された各更新地図情報を順番に使用できるように自動的に切り換えることが可能となる。
【手続補正２０】
【補正対象書類名】明細書
【補正対象項目名】００２４
【補正方法】変更
【補正の内容】
【００２４】
更に、再設定された優先順位が最後の地図情報が記憶されている記憶領域を初期化後、管理情報を更新するため、当該管理情報に基づいて地図情報を記憶しない空き記憶領域を確実に１個選択することができる。
【手続補正２１】
【補正対象書類名】明細書
【補正対象項目名】００２５
【補正方法】変更
【補正の内容】
【００２５】
また、地図情報は、複数の地図領域の地図情報であるため、ナビゲーション装置の動作中に、各地図領域毎に更新地図情報を更新することが可能となると共に、この更新地図情報を使用できるように自動的に切り換えることが可能となる。
【手続補正２２】
【補正対象書類名】明細書
【補正対象項目名】００２７
【補正方法】変更
【補正の内容】
【００２７】
また、請求項１０に係るナビゲーション装置では、各地図領域は、地図情報がほぼ同じ情報量になるように分割されているため、ほぼ同じ記憶容量に設定された複数の記憶領域を設けることによって、記録媒体に記録された更新地図情報を各記憶領域に確実に全て記憶することが可能となる。
【手続補正２３】
【補正対象書類名】明細書
【補正対象項目名】００２８
【補正方法】変更
【補正の内容】
【００２８】
また、請求項１１に係るナビゲーション装置では、地図情報は、リンクとノードに関する道路情報と、経路案内に関する音声・画像情報と、目的地までの経路探索又は地点を検索するための検索情報とを含む複数のデータ種別であるため、ナビゲーション装置の動作中に、各データ種別毎に更新地図情報を更新することが可能となると共に、この更新地図情報を使用できるように自動的に切り換えることが可能となる。
【手続補正２４】
【補正対象書類名】明細書
【補正対象項目名】００３０
【補正方法】変更
【補正の内容】
【００３０】
また、請求項１２に係る地図情報更新方法では、地図情報が記憶されていない１個の空き記憶領域を選択して初期化後、再設定された優先順位が１番目の現在使用している地図情報に対応する更新地図情報を、この初期化された空き記憶領域に記憶するため、更新地図情報を記憶する際に、地図情報のファイルの断片化等を避けることが可能となる。また、現在使用している地図情報が含まれる地図領域の更新地図情報を初期化された空き記憶領域に記憶した後、管理情報を更新するため、ナビゲーション装置の動作中に、現在使用している地図情報が含まれる地図領域の更新地図情報を１番目に記憶することが可能となると共に、この更新地図情報を使用できるように自動的に切り換えることが可能となる。
【手続補正２５】
【補正対象書類名】明細書
【補正対象項目名】００３１
【補正方法】変更
【補正の内容】
【００３１】
また、ナビゲーション装置の動作中に、再設定された優先順位が１番目の現在使用している地図情報に対応する更新地図情報に切り換えた後、更新された管理情報に基づいて再設定された優先順位が１番目の地図情報が記憶されている記憶領域から優先順位に従って順番に各記憶領域を初期化して、この初期化された記憶領域に記憶されていた地図情報の次の優先順位の地図情報に対応する更新地図情報を、この初期化した記憶領域に記憶するため、各更新地図情報を記憶する際に、地図情報のファイルの断片化等を避けることが可能となる。
【手続補正２６】
【補正対象書類名】明細書
【補正対象項目名】００３２
【補正方法】変更
【補正の内容】
【００３２】
また、初期化された記憶領域に記憶されていた地図情報の次の優先順位の地図情報に対応する更新地図情報を、この初期化した記憶領域に記憶する毎に該管理情報を更新するため、ナビゲーション装置の動作中に、更新地図情報を再設定された優先順位に従って順番に記憶することが可能となると共に、更新された各更新地図情報を順番に使用できるように自動的に切り換えることが可能となる。
【手続補正２７】
【補正対象書類名】明細書
【補正対象項目名】００３３
【補正方法】変更
【補正の内容】
【００３３】
更に、再設定された優先順位が最後の地図情報が記憶されている記憶領域を初期化後、管理情報を更新するため、当該管理情報に基づいて地図情報を記憶しない空き記憶領域を確実に１個選択することができる。また、初期化された空き記憶領域又は初期化された各記憶領域に更新地図情報を記憶している途中で中止した場合には、この更新地図情報に対応する地図領域の地図情報を記憶している記憶領域は初期化されておらず、管理情報が残っているため、ナビゲーション装置は管理情報に基づいて全領域の地図情報を利用することができる。また、地図情報は、複数の地図領域の地図情報であるため、ナビゲーション装置の動作中に、各地図領域毎に更新地図情報を更新することが可能となると共に、この更新地図情報を使用できるように自動的に切り換えることが可能となる。
また、請求項１３に係る地図情報更新方法では、各地図領域は、地図情報がほぼ同じ情報量になるように分割されているため、ほぼ同じ記憶容量に設定された複数の記憶領域を設けることによって、記録媒体に記録された更新地図情報を各記憶領域に確実に全て記憶することが可能となる。
更に、請求項１４に係る地図情報更新方法では、地図情報は、リンクとノードに関する道路情報と、経路案内に関する音声・画像情報と、目的地までの経路探索又は地点を検索するための検索情報とを含む複数のデータ種別であるため、ナビゲーション装置の動作中に、各データ種別毎に更新地図情報を更新することが可能となると共に、この更新地図情報を使用できるように自動的に切り換えることが可能となる。また、初期化された空き記憶領域又は初期化された各記憶領域に更新地図情報を記憶している途中で中止した場合には、この更新地図情報に対応するデータ種別の地図情報を記憶している記憶領域は初期化されておらず、管理情報が残っているため、ナビゲーション装置は全データ種別の地図情報を利用することができる。